(57)【要約】【課題】電子機器本体とＤＣケーブルで接続して使用可能であると共に、電子機器本体のバッテリ収納部に収納した状態で使用可能なＡＣアダプタにおいて、ＡＣアダプタを電子機器機本体の外部で使用する場合に、利用者の安全性を確保するとともに、端子を保護することが可能なＡＣアダプタおよびその電子機器を提供することを目的とする。【解決手段】  本発明のＡＣアダプタ３は、バッテリ収容部１１に収容可能に形成されたＡＣアダプタにおいて、本体接続用端子３１およびＤＣケーブル接続用端子と、本体接続用端子３１およびＤＣケーブル接続用端子を保護するための可動可能なカバー部材３３とを備え、カバー部材３３を、本体接続用端子３１およびＤＣケーブル接続用端子のうちいずれか一方を露出させた状態では、他方を覆った状態となるように形成したものである。【選択図】        図１−１
2006325343.tif 000002
【特許請求の範囲】
【請求項１】
電子機器本体とＤＣケーブルで接続して使用可能であると共に、前記電子機器本体のバッテリ収納部に収納した状態で使用可能なＡＣアダプタにおいて、
前記バッテリ収納部に収納された状態で前記電子機器本体にＤＣ電圧を供給するための第１の端子と、
前記ＤＣケーブルを接続するための第２の端子と、
前記第１の端子および前記第２の端子を保護するための可動可能なカバー部材と、
を備え、
前記カバー部材は、前記第１の端子および前記第２の端子のうちいずれか一方を露出させた状態では、他方を覆った状態となるように形成されていることを特徴とするＡＣアダプタ。
【請求項２】
前記第１の端子、前記第２の端子、および前記カバー部材は、ＡＣアダプタの一側面部に設けられていることを特徴とする請求項１に記載のＡＣアダプタ。
【請求項３】
前記カバー部材は、スライド式であることを特徴とする請求項２に記載のＡＣアダプタ。
【請求項４】
前記カバー部材の幅をＬ１、前記第１の端子の幅をＬ２、前記第１の端子と前記第２の端子間の距離をＬ３とした場合に、（Ｌ２＋Ｌ３）≦Ｌ１としたことを特徴とする請求項３に記載のＡＣアダプタ。
【請求項５】
前記カバー部材は、回動式であることを特徴とする請求項２に記載のＡＣアダプタ。
【請求項６】
前記第１の端子の周辺部が、金属で構成されていることを特徴とする請求項１〜請求項５のいずれか１つに記載のＡＣアダプタ。
【請求項７】
バッテリ収納部を有する電子機器本体と、当該電子機器本体にＤＣケーブルで接続して使用可能であると共に、前記バッテリ収納部に収納した状態で使用可能なＡＣアダプタと、を備えた電子機器において、
前記ＡＣアダプタは、
前記バッテリ収納部に収納された状態で前記電子機器本体にＤＣ電圧を供給するための第１の端子と、
前記ＤＣケーブルを接続するための第２の端子と、
前記第１の端子および前記第２の端子を保護するための可動可能なスライド式のカバー部材と、
を有し、
前記第１の端子、前記第２の端子、および前記カバー部材は、前記ＡＣアダプタの一側面部に設けられており、前記カバー部材は、前記第１の端子および前記第２の端子のうちいずれか一方を露出させた状態では、他方を覆った状態となるように形成されており、
前記バッテリ収納部は、
前記ＡＣアダプタを挿入した場合に、前記カバー部材を前記第１の端子側から前記第２の端子側にスライドさせて、前記第１の端子を露出させ前記第２の端子を覆った状態にし、かつ、前記ＡＣアダプタを挿脱した場合に、前記カバー部材を前記第２の端子側から前記第２の端子側にスライドさせて、前記第２の端子を露出させ前記第１の端子を覆った状態にするスライド機構を備えたことを特徴とする電子機器。
【請求項８】
前記カバー部材の幅をＬ１、前記第１の端子の幅をＬ２、前記第１の端子と前記第２の端子間の距離をＬ３とした場合に、（Ｌ２＋Ｌ３）≦Ｌ１としたことを特徴とする請求項７に記載の電子機器。
【発明の詳細な説明】
【技術分野】
【０００１】
本発明は、ＡＣアダプタおよび電子機器に関し詳細には、電子機器本体とＤＣケーブルで接続して使用可能であると共に、電子機器本体のバッテリ収納部に収納した状態で使用可能なＡＣアダプタおよびこのＡＣアダプタを備えた電子機器に関する。
【背景技術】
【０００２】
近年、装置の省電力性能や二次電池の性能の向上に伴い、例えばノート型パーソナルコンピュータ（以下「ノートパソコン」と称する）等の携帯型の電子機器においては、バッテリ駆動型のものが多く登場している。このようなバッテリ駆動型のノートパソコンは、オフィスのデスク上で使用されることもあることから、ＡＣアダプタを使用して駆動することもできるようになっている。
【０００３】
また、ＡＣアダプタの形状をバッテリパックと同一形状として、電子機器本体に設けられたバッテリ収納部にいずれかを選択的に収納可能とする装置も提案されている。例えば、特許文献１では、携帯型コンピュータのバッテリパック取付部に装着可能な形状を持ち、バッテリパック取付部のコネクタに接続されて電源供給するコネクタと、該コネクタと反対面にある交流電源コードと接続するための交流入力コネクタと、を備えたＡＣアダプタにおいて、コネクタと同一面にＤＣ電圧出力のための直流ジャックを設ける技術、または、交流入力コネクタと同一面にＤＣ電圧出力のための直流ジャックを設ける技術が開示されている。
【０００４】
また、特許文献２では、電子機器本体とＤＣケーブルで接続して使用可能であると共に、電子機器本体のバッテリ収納部に収納した状態で使用可能なＡＣアダプタにおいて、バッテリ収納部に収納された状態で電子機器本体にＤＣ電圧を供給するための本体接続用端子と、直流ケーブルを接続するためのケーブル接続用端子と、電子機器外部で使用される場合において、ケーブル接続用端子への前記直流ケーブルの接続を検出するための検出手段と、この検出手段により前記直流ケーブルの接続が検出されたことに応答して、前記本体接続用端子からのＤＣ電圧出力を遮断するスイッチを具備する技術が開示されている。
【０００５】
【特許文献１】特開平１０−９４１７９号公報
【特許文献２】特許第２８０４７０７号
【発明の開示】
【発明が解決しようとする課題】
【０００６】
しかしながら、上記特許文献１、２のＡＣアダプタによれば、ＡＣアダプタを電子機器機本体の外部で使用する場合には、本体接続用端子が露出しているため、利用者が不用意に本体接続用端子に触れた場合に感電する可能性があり、また、本体接続用端子の損傷や汚れが付着する可能性があるという問題がある。
【０００７】
本発明は、上記課題に鑑みてなされたものであり、電子機器本体とＤＣケーブルで接続して使用可能であると共に、電子機器本体のバッテリ収納部に収納した状態で使用可能なＡＣアダプタにおいて、ＡＣアダプタを電子機器機本体の外部で使用する場合に、利用者の安全性を確保するとともに、端子を保護することが可能なＡＣアダプタおよびその電子機器を提供することを目的とする。
【課題を解決するための手段】
【０００８】
上述した課題を解決し、目的を達成するために、本発明は、電子機器本体とＤＣケーブルで接続して使用可能であると共に、前記電子機器本体のバッテリ収納部に収納した状態で使用可能なＡＣアダプタにおいて、前記バッテリ収納部に収納された状態で前記電子機器本体にＤＣ電圧を供給するための第１の端子と、前記ＤＣケーブルを接続するための第２の端子と、前記第１の端子および前記第２の端子を保護するための可動可能なカバー部材とを備え、前記カバー部材は、前記第１の端子および前記第２の端子のうちいずれか一方を露出させた状態では、他方を覆った状態となるように形成されていることを特徴とする。これにより、ＡＣアダプタを電子機器機本体の外部で使用する場合には、第１の端子をカバー部材で覆って保護することができ、利用者が第１の端子に触れることを防止することが可能となり、また、第１の端子の損傷や汚れの付着を防止することが可能となる。
【０００９】
また、本発明は、前記第１の端子、前記第２の端子、および前記カバー部材は、ＡＣアダプタの一側面部に設けられていることを特徴とする。これにより、カバー部材で第１の端子または第２の端子を保護する場合に、その構成を簡素化することが可能となる。
【００１０】
また、本発明は、前記カバー部材は、スライド式であることを特徴とする。これにより、カバー部材を低コストかつ簡単な構成とすることが可能となる。
【００１１】
また、本発明は、記カバー部材の幅をＬ１、前記第１の端子の幅をＬ２、前記第１の端子と前記第２の端子間の距離をＬ３とした場合に、（Ｌ２＋Ｌ３）≦Ｌ１としたことを特徴とする。これにより、ＤＣケーブル接続用端子にＤＣケーブルを挿入した状態では、ＤＣケーブルのコネクタがカバー部材の開くことを阻害し、必然的に本体接続用端子が表出しないため安全性を向上させることができる。
【００１２】
また、本発明は、前記カバー部材は、回動式であることを特徴とする。これにより、カバー部材を低コストかつ簡単な構成とすることが可能となる。
【００１３】
また、本発明は、前記第１の端子の周辺部が、金属で構成されていることを特徴とする。これにより、ＡＣアダプタの発熱を効率的に電子機器本体に放出することが可能となる。
【００１４】
また、上述した課題を解決し、目的を達成するために、本発明は、バッテリ収納部を有する電子機器本体と、当該電子機器本体にＤＣケーブルで接続して使用可能であると共に、前記バッテリ収納部に収納した状態で使用可能なＡＣアダプタと、を備えた電子機器において、前記ＡＣアダプタは、前記バッテリ収納部に収納された状態で前記電子機器本体にＤＣ電圧を供給するための第１の端子と、前記ＤＣケーブルを接続するための第２の端子と、前記第１の端子および前記第２の端子を保護するための可動可能なスライド式のカバー部材と、を有し、前記第１の端子、前記第２の端子、および前記カバー部材は、前記ＡＣアダプタの一側面部に設けられており、前記カバー部材は、前記第１の端子および前記第２の端子のうちいずれか一方を露出させた状態では、他方を覆った状態となるように形成されており、前記バッテリ収納部は、前記ＡＣアダプタを挿入した場合に、前記カバー部材を前記第１の端子側から前記第２の端子側にスライドさせて、前記第１の端子を露出させ前記第２の端子を覆った状態にし、かつ、前記ＡＣアダプタを挿脱した場合に、前記カバー部材を前記第２の端子側から前記第２の端子側にスライドさせて、前記第２の端子を露出させ前記第１の端子を覆った状態にするスライド機構を備えたことを特徴とする。これにより、ＡＣアダプタを電子機器機本体の外部で使用する場合には、第１の端子をカバー部材で覆って保護することができ、利用者が第１の端子に触れることを防止することが可能となり、また、第１の端子の損傷や汚れの付着を防止することが可能となる。また、ＡＣアダプタをバッテリ収納部に対して着脱する際に、カバー部材を自動的にスライドさせることができ、利用者は、カバー部材をスライドさせる必要がなくなり、利用者の使い勝手を向上させることが可能となる。
【発明の効果】
【００１５】
本発明は、電子機器本体とＤＣケーブルで接続して使用可能であると共に、電子機器本体のバッテリ収納部に収納した状態で使用可能なＡＣアダプタにおいて、バッテリ収納部に収納された状態で電子機器本体にＤＣ電圧を供給するための第１の端子と、ＤＣケーブルを接続するための第２の端子と、第１の端子および第２の端子を保護するための可動可能なカバー部材とを備え、カバー部材を、第１の端子および第２の端子のうちいずれか一方を覆った状態では、他方を露出させた状態となるように形成したので、ＡＣアダプタを電子機器機本体の外部で使用する場合に、利用者の安全性を確保するとともに、端子を保護することが可能になるという効果を奏する。
【発明を実施するための最良の形態】
【００１６】
以下に添付図面を参照して、この発明にかかるＡＣアダプタおよびその電子機器の最良な実施の形態を詳細に説明する。なお、この実施の形態によりこの発明が限定されるものではなく、また、実施の形態の中で説明されている特徴の組み合わせのすべてが発明の解決手段に必要であるとは限らない。また、下記実施の形態における構成要素には、当業者が容易に想定できるものまたは実質的に同一のものが含まれる。なお、以下の実施の形態では、電子機器としてノートパソコンを一例に挙げて説明するが、本発明の電子機器はこれに限られるものではない。
【００１７】
（実施の形態１）
図１を参照して、本発明の実施の形態１に係るＡＣアダプタの構成を説明する。図１−１は、実施の形態１に係る電子機器の全体構成を示す図である。同図において、１は電子機器本体であるノートパソコン本体、２はバッテリパック、３はＡＣアダプタを示している。
【００１８】
ノートパソコン本体１は、側面部に、バッテリ収納部１１およびＤＣケーブルを接続するためのＤＣケーブル接続用端子１３を備えている。バッテリ収納部１１には、バッテリパック２およびＡＣアダプタ３と電気的に接続するための接続用端子１２が設けられている。ノートパソコン本体１は、このバッテリ収納部１１に、バッテリパック２を収納装着することにより、このバッテリパック２から供給されるエネルギーにより動作可能になっている。また、バッテリ収納部１１には、ＡＣアダプタ３も収納装着可能になっており、これより、ＡＣアダプタ３から供給されるＤＣ電圧によってもノートパソコン本体１は動作可能となっている。
【００１９】
バッテリパック２は、その一側面に本体接続用端子２１を備えており、ノートパソコン本体１のバッテリ収納部１１に収納されたときに、本体側の接続用端子１２と圧接されて電気的に接続されるようになる。
【００２０】
図１−２は、ＡＣアダプタ３の斜視図（その１）、図１−３はＡＣアダプタ３の斜視図（その２）、図１−４は図１−３のＡ−Ａ断面図を示している。図１−１〜図１−４において、ＡＣアダプタ３は、一側面側に段差部３４が形成されており、この段差部３４の端部には、本体接続用端子（第１の端子）３１、ＤＣケーブル接続用端子（第２の端子）３２、並びに、本体接続用端子３１およびＤＣケーブル接続用端子３２を保護するための、断面視略コの字形状を呈するスライド式のカバー部材３３が設けられている。なお、ＡＣアダプタ３の発熱を効率的にノートパソコン本体１に放出するために、本体接続用端子３１の周辺部を金属で構成することが望ましい。
【００２１】
また、段差部３４には、カバー部材３３を可動に案内するための一対の案内溝３５が両面に形成されている。この一対の案内溝３５にカバー部材３３が取り付けられている。カバー部材３３は、案内溝３５に沿って移動可能（スライド可能）に構成されている。また、ＡＣアダプタ３は、他の側面に、ＡＣプラグ４０と接続するためのＡＣ入力用端子３６を備えている。
【００２２】
図１−５は、本体接続用端子３１、ＤＣケーブル接続用端子３２、およびカバー部材３３の詳細な位置関係を説明するための図である。図１−５において、カバー部材３３の幅をＬ１、本体接続用端子３１の幅をＬ２、本体接続用端子３１とＤＣケーブル接続用端子３２間の距離をＬ３とした場合に、本体接続用端子３１、ＤＣケーブル接続用端子３２、およびカバー部材３３は、（Ｌ２＋Ｌ３）≦Ｌ１を満たすように配置されている。
【００２３】
上記構成のＡＣアダプタ３では、図１−２および図１−３に示すように、カバー部材３３を移動させて、本体接続用端子３１またはＤＣケーブル接続用端子３２を露出させた状態とした場合には、ＤＣケーブル接続用端子３２または本体接続用端子３１が覆われた状態となる。すなわち、本体接続用端子３１およびＤＣケーブル接続用端子（第２の端子）３２のうち、一方がカバー部材３３で覆われた状態となり、他方が露出した状態となる。なお、本体接続用端子３２およびＤＣケーブル接続用端子３２は如何なる形状としても良い。
【００２４】
図１−６は、ＡＣアダプタ３をバッテリ収納部１１に収納した状態を示す図である。バッテリ収納部１１にＡＣアダプタ３を収納して使用する場合には、図１−２に示すように、利用者が、カバー部材３３を、ＤＣケーブル接続用端子３２側に移動させて、ＤＣケーブル接続用端子３２を覆って保護し、本体接続用端子３１を露出させた状態でバッテリ収納部１１に収納する。
【００２５】
本体接続用端子３１は、バッテリパック２の場合と同様に、バッテリ収納部１１に収納されたときに本体側の接続用端子１２に圧接され、電気的に接続される。カバー部材３３は、ＡＣアダプタ３をバッテリ収納部１１に収納する場合に、ガイドとして機能し、本体接続用端子３１を露出させていない状態でバッテリ収納部１１に収納することができないようになっている。また、ＡＣプラグ４０とＡＣアダプタ３のＡＣ入力用端子３６とを接続することにより、ＡＣアダプタ３からノートパソコン１にＤＣ電圧が供給される。このように、ＡＣアダプタ３をノートパソコン１のバッテリ収納部１１に収納して使用する場合には、通常のＡＣ電源駆動型のノートパソコンとなる。
【００２６】
図１−７は、ＡＣアダプタ３をノートパソコン本体１の外部で使用する状態を示す図である。ＡＣアダプタ３をノートパソコン本体１の外部で使用する場合には、図１−３に示すように、利用者が、カバー部材３３を、本体接続用端子３１側に移動させて、本体接続用端子３１を覆って保護し、ＤＣケーブル接続用端子３２を露出させて使用可能な状態とする。そして、ＤＣケーブル５０によってノートパソコン本体１のＤＣケーブル接続用端子１３と、ＡＣアダプタ３のＤＣケーブル接続用端子３２とを接続し、また、ＡＣプラグ４０とＡＣアダプタ３のＡＣ入力用端子３６とを接続することにより、ＡＣアダプタ３からノートパソコン本体１にＤＣ電圧が供給される。この場合、バッテリ収納部１１には、バッテリパック２を装着してもしなくてもいずれの状態でもよい。なお、ＤＣケーブル接続用端子３２にＤＣケーブル５０を挿入した状態では、ＤＣケーブル５０のコネクタがカバー部材３３の開くことを阻害し、これにより、必然的に本体接続用端子３１が表出しないため安全性を向上させることができる。
【００２７】
このように、ＡＣアダプタ３は、ノートパソコン本体１に装着して使用することができるとともに、本体外部に置いて使用することも可能であるため、例えば、通常はバッテリパック２を装着してバッテリ駆動で使用する一方、オフィスに持ち込んで使用する場合にはバッテリパック２を取り外すことなく、そのままＡＣアダプタ３と接続して商用電源を使用したり、または、バッテリパック２を充電できるようになり、利用者にとって使い勝手が良好となっている。
【００２８】
以上説明したように、実施の形態１のＡＣアダプタ３によれば、バッテリ収容部１１に収容可能に形成されたＡＣアダプタにおいて、本体接続用端子３１およびＤＣケーブル接続用端子３２と、本体接続用端子３１およびＤＣケーブル接続用端子３２を保護するための可動可能なカバー部材３３とを備え、カバー部材３３を、本体接続用端子３１およびＤＣケーブル接続用端子３２のうちいずれか一方を露出させた状態では、他方を覆った状態となるように形成したので、ＡＣアダプタ３をノートパソコン本体１の外部で使用する場合には、本体接続用端子３１をカバー部材３３で覆って保護し、これにより、利用者が本体接続用端子３１に接触して感電することを防止でき、また、本体接続用端子３１の損傷や汚れを防止することができる。
【００２９】
また、実施の形態１のＡＣアダプタ３のカバー部材３３は、スライド式に形成したので、本体接続用端子３１およびＤＣケーブル接続用端子３２を保護する機構を、簡単かつ低コストな構成とすることができる。
【００３０】
（実施の形態２）
図２および図３を参照して、実施の形態２に係るＡＣアダプタの構成を説明する。実施の形態１のＡＣアダプタ３は、スライド式のカバー部材３３を設けることにしたが、本発明のカバー部材は、スライド式に限られるものではなく、本体接続用端子およびＤＣケーブル接続用端子を保護する機構であれば如何なる形態としても良い。実施の形態２に係るＡＣアダプタでは、回転式のカバー部材を使用した場合について説明する。
【００３１】
図２−１〜図２−３は、実施の形態２に係るＡＣアダプタ１００の構成例１を説明するための斜視図である。図２−１〜図２−３において、構成例１のＡＣアダプタ１００は、一側面に、本体接続用端子（第１の端子）１０１と、ＤＣケーブル接続用端子（第２の端子）１０２と、本体接続用端子１０１およびＤＣケーブル接続用端子１０２間の略中央位置に配置され、当該側面に対してその面方向に回動可能な平面視略扇形状を呈するカバー部材１０３とを備えている。このカバー部材１０３は、側面の両端子間の略中央位置に固定された軸部１０３ａと、当該軸部１０３ａを回動軸として、側面に対してその面方向に回動可能に構成され、本体接続用端子１０１またはＤＣケーブル接続用端子１０２を覆って保護するためのカバー部１０３ｂとで構成されている。
【００３２】
バッテリ収納部１１にＡＣアダプタ１００を収納して使用する場合には、図２−２に示すように、利用者が、カバー部材１０３をＤＣケーブル接続用端子１０２側に回転させて、ＤＣケーブル接続用端子１０２を覆って保護し、本体接続用端子１０１を露出させた状態でバッテリ収納部１１に収納する。
【００３３】
他方、ノートパソコン本体１の外部でＡＣアダプタ１００を使用する場合には、図２−３に示すように、利用者が、カバー部材１０３を本体接続用端子１０１側に回転させて本体接続用端子１０１を覆って保護し、ＤＣケーブル接続用端子１０２を露出させて使用可能な状態とする。
【００３４】
図３−１〜図３−３は、実施の形態２に係るＡＣアダプタ２００の構成例２を説明するための斜視図である。図３−１〜図３−３において、構成例２のＡＣアダプタ２００は、一側面に、本体接続用端子（第１の端子）２０１と、ＤＣケーブル接続用端子（第２の端子）２０２と、本体接続用端子２０１およびＤＣケーブル接続用端子２０２間の略中央位置に配置され、当該側面に対して直交する方向に回動可能な平面視略長方形状を呈するカバー部材２０３とを備えている。
【００３５】
このカバー部材２０３は、側面の両端子間の略中央位置に固定された軸部２０３ａと、当該軸部２０３ａを回動軸として側面に対して直交する方向に回動可能に構成され、本体接続用端子２０１またはＤＣケーブル接続用端子２０２を覆って保護するためのカバー部２０３ｂとで構成されている。
【００３６】
バッテリ収納部１１にＡＣアダプタ２００を収納して使用する場合には、図３−２に示すように、利用者が、カバー部材２０３をＤＣケーブル接続用端子２０２側に倒して、ＤＣケーブル接続用端子２０２を覆って保護し、本体接続用端子２０１を露出させた状態でバッテリ収納部１１に収納する。
【００３７】
他方、ＡＣアダプタ２００をノートパソコン本体１の外部で使用する場合には、図３−３に示すように、利用者が、カバー部材２０３を、本体接続用端子２０１側に倒して本体接続用端子２０１を覆って保護し、ＤＣケーブル接続用端子２０２を露出させて使用可能な状態とする。
【００３８】
以上説明したように、実施の形態２によれば、本体接続用端子およびＤＣケーブル接続用端子を保護するためのカバー部材として、回転式のカバー部材を使用することとしたので、本体接続用端子およびＤＣケーブル接続用端子を保護する機構を、簡単かつ低コストな構成とすることができる。
【００３９】
（実施の形態３）
図４を参照して、本発明の実施の形態３に係るＡＣアダプタの構成を説明する。実施の形態１のＡＣアダプタ３は、利用者が、スライド式のカバー部材３３をスライドさせて、本体接続用端子３１またはＤＣケーブル接続用端子３２を保護することとしたが、実施の形態３では、スライド式のカバー部材を、バッテリ収納部１１に対して着脱する際に、自動的にスライドさせる構成としたものである。
【００４０】
図４−１は、実施の形態３に係る電子機器の全体構成を示す図である。図４−１に示すように、ノートパソコン本体１のバッテリ収納部１１の上壁面には、ＡＣアダプタ３００のカバー部材３０３を案内するためのガイド溝１１ａ（スライド機構）が形成されている。
【００４１】
図４−２は、図４−１のＡＣアダプタの正面図（その１）、図４−３は、図４−１のＡＣアダプタの正面図（その２）、図４−４は、図４−１のＡ−Ａ断面図、図４−５は図４−１のＢ−Ｂ断面図を示している。図４−１〜図４−５において、ＡＣアダプタ３００は、一側面側に段差部３０４が形成されており、この段差部３０４の端部には、本体接続用端子３０１、ＤＣケーブル接続用端子３０２、並びに、本体接続用端子３０１およびＤＣケーブル接続用端子３０２を保護するための、断面視略コの字形状を呈するスライド式のカバー部材３０３が設けられている。
【００４２】
カバー部材３０３は、その上面に突起部３０３ａと、その対向面（内壁面）に一対の凸部３０３ｂとが設けられている。また、段差部３０４の両面には、カバー部材３０３を可動に案内するための一対の案内溝３０５が形成されている。カバー部材３０３の一対の凸部３０３ｂは、一対の案内溝３０５に係合している。また、一対の案内溝３０５には、一対のバネ部材３０６が配されている。このバネ部材３０６は一端側が案内溝３０５の短手方向の内壁に固定され、他端側がカバー部材３０３の凸部３０３ｂに固定されている。カバー部材３０３の一対の凸部３０３ｂが一対の案内溝３０５に案内されて、カバー部材３０３がバネ部材３０６で付勢されながら案内溝３０５に沿って移動可能に構成されている。
【００４３】
実施の形態１と同様に、カバー部材３０３の幅をＬ１、本体接続用端子３０１の幅をＬ２、本体接続用端子３０１とＤＣケーブル接続用端子３０２間の距離をＬ３とした場合に、本体接続用端子３０１、ＤＣケーブル接続用端子３０２、およびカバー部材３０３は、（Ｌ２＋Ｌ３）≦Ｌ１を満たすように配置されている。
【００４４】
なお、カバー部材３０３は、初期位置（工場出荷時）では、図４−２に示すように、本体接続用端子３０１側に配置されており、本体接続用端子３０１を覆って保護している。
【００４５】
図４−６は図４−１のノートパソコン本体１の正面図、図４−７〜図４−９は、ノートパソコン本体１のバッテリ収納部１１にＡＣアダプタ３００を着脱する場合に、カバー部材３０３を自動的にスライドさせる様子を説明するための模式図である。なお、図４−７〜図４−９において、ノートパソコン本体１は、図４−６のＣ−Ｃ断面で示している。
【００４６】
図４−７に示すように、ＡＣアダプタ３００のカバー部材３０３が初期位置にある場合には、その突起部３０３ａの位置はバッテリ収納部１１のガイド溝１１ａの入口の位置に対応している。
【００４７】
図４−８に示すように、ＡＣアダプタ３００をバッテリ収容部１１に挿入すると、カバー部材３０３の突起部３０３ａがガイド溝１１ａに沿って移動し、これにより、カバー部材３０３は、ＤＣケーブル接続用端子３０２側に案内溝３０５に沿ってバネ部材３０５に付勢されながら移動する。図４−９に示すように、ＡＣアダプタ３００がバッテリ収納部１１に収納されたとき、ガイド部材３０３は、ＤＣケーブル接続用端子３０２を覆った状態となり、本体接続用端子３０１は露出した状態となってバッテリ収納部１１の接続用端子２０に圧接され、電気的に接続される。
【００４８】
他方、バッテリ収納部１１に収納されたＡＣアダプタ３００を挿脱すると、カバー部材３０３の突起部３０３ａがバッテリ収納部１１のガイド溝１１ａに沿って移動し、これにより、ガイド部材３０３は、本体接続用端子３０１側に案内溝３０５に沿ってバネ部材３０６に付勢されながら移動する。ＡＣアダプタ３００がバッテリ収納部１１から完全に挿脱されたとき、ガイド部材３０３は、本体接続用端子３０１を覆った状態となり、ＤＣケーブル接続用端子３０１は露出した状態（初期状態）となる。
【００４９】
以上説明したように、実施の形態３によれば、バッテリ収納部１１にＡＣアダプタ３００を挿入した場合に、カバー部材３０３を本体接続用端子３０１側からＤＣケーブル接続用端子３０２側にスライドさせて、本体接続用端子３０１を露出させＤＣケーブル接続用端子３０２を覆った状態にし、かつ、バッテリ収納部１１からＡＣアダプタ３００を挿脱した場合に、カバー部材３０３をＤＣケーブル接続用端子３０２側から本体接続用端子３０１側にスライドさせて、ＤＣケーブル接続用端子３０２を露出させ本体接続用端子３０１を覆った状態にするスライド機構を設けているので、ＡＣアダプタ３００をバッテリ収納部１１に対して着脱する際に、カバー部材３０３を自動的にスライドさせることができ、利用者は、カバー部材３０３をスライドさせる必要がなくなり、利用者の使い勝手を向上させることが可能となる。
【００５０】
上記した実施の形態３では、スライド式のカバー部材３０３に突起部３０３ａを設けた例を説明したが、突起部の替わりに凹部を設けることにしても良い。この場合、ガイド溝１１ａは溝ではなく凸部で構成されたレール構造にすることで、カバー部材３０３をスライドさせることができる。
【００５１】
なお、上記した実施の形態１〜３では、電子機器としてノートパソコンを一例として説明したが、本発明はこれに限られるものではなく、バッテリパックおよびＡＣアダプタを使用する全ての電子機器に適用可能である。
【産業上の利用可能性】
【００５２】
本発明に係るＡＣアダプタおよび電子機器は、電子機器本体とＤＣケーブルで接続して使用可能であると共に、電子機器本体のバッテリ収納部に収納した状態で使用可能なＡＣアダプタ、並びにバッテリパックおよびＡＣアダプタを使用する全ての電子機器に広く利用可能である。
【図面の簡単な説明】
【００５３】
【図１−１】実施の形態１に係る電子機器の全体構成を示す図である。
【図１−２】図１−１のＡＣアダプタの斜視図である。
【図１−３】図１−１のＡＣアダプタの斜視図である。
【図１−４】図１−３のＡ−Ａ断面図である。
【図１−５】本体接続用端子、ＤＣケーブル接続用端子、およびカバー部材の位置関係の詳細を説明するための図である。
【図１−６】ＡＣアダプタをバッテリ収納部に収納した状態を示す図である。
【図１−７】ＡＣアダプタをノートパソコン本体の外部で使用する状態を示す図である。
【図２−１】実施の形態２に係るＡＣアダプタの構成例１を説明するための斜視図である。
【図２−２】実施の形態２に係るＡＣアダプタの構成例１を説明するための斜視図である。
【図２−３】実施の形態２に係るＡＣアダプタの構成例１を説明するための斜視図である。
【図３−１】実施の形態２に係るＡＣアダプタの構成例２を説明するための斜視図である。
【図３−２】実施の形態２に係るＡＣアダプタの構成例２を説明するための斜視図である。
【図３−３】実施の形態２に係るＡＣアダプタの構成例２を説明するための斜視図である。
【図４−１】実施の形態３に係る電子機器の全体構成を示す図である。
【図４−２】図４−１のＡＣアダプタの正面図である。
【図４−３】図４−１のＡＣアダプタの正面図である。
【図４−４】図４−１のＡ−Ａ断面図である。
【図４−５】図４−１のＢ−Ｂ断面図を示している。
【図４−６】図４−１のノートパソコン本体の正面図である。
【図４−７】ノートパソコン本体のバッテリ収納部にＡＣアダプタを着脱する場合に、カバー部材を自動的にスライドさせる様子を説明するための模式図である。
【図４−８】ノートパソコン本体のバッテリ収納部にＡＣアダプタを着脱する場合に、カバー部材を自動的にスライドさせる様子を説明するための模式図である。
【図４−９】ノートパソコン本体のバッテリ収納部にＡＣアダプタを着脱する場合に、カバー部材を自動的にスライドさせる様子を説明するための模式図である。
【符号の説明】
【００５４】
１  ノートパソコン本体
２  バッテリパック
３  ＡＣアダプタ
１１  バッテリ収納部
１１ａ  ガイド溝
１２  接続用端子
２０  接続用端子
１３  ＤＣケーブル接続用端子
２１  本体接続用端子
３１  本体接続用端子
３２  ＤＣケーブル接続用端子
３３  カバー部材
３４  段差部
３５  案内溝
３６  ＡＣ入力用端子
４０  ＡＣプラグ
５０  ＤＣケーブル
１００  ＡＣアダプタ
１０１  本体接続用端子
１０２  ＤＣケーブル接続用端子
１０３  カバー部材
１０３ａ  軸部
１０３ｂ  カバー部
２００  ＡＣアダプタ
２０１  本体接続用端子
２０２  ＤＣケーブル接続用端子
２０３  カバー部材
２０３ａ  軸部
２０３ｂ  カバー部
３００  ＡＣアダプタ
３０１  本体接続用端子
３０２  ＤＣケーブル接続用端子
３０３  カバー部材
３０３ａ  突起部
３０３ｂ  凸部
３０４  段差部
３０５  案内溝
３０６  バネ部材
【図１−１】
2006325343.tif 000003
【図１−２】
2006325343.tif 000004
【図１−３】
2006325343.tif 000005
【図１−４】
2006325343.tif 000006
【図１−５】
2006325343.tif 000007
【図１−６】
2006325343.tif 000008
【図１−７】
2006325343.tif 000009
【図２−１】
2006325343.tif 000010
【図２−２】
2006325343.tif 000011
【図２−３】
2006325343.tif 000012
【図３−１】
2006325343.tif 000013
【図３−２】
2006325343.tif 000014
【図３−３】
2006325343.tif 000015
【図４−１】
2006325343.tif 000016
【図４−２】
2006325343.tif 000017
【図４−３】
2006325343.tif 000018
【図４−４】
2006325343.tif 000019
【図４−５】
2006325343.tif 000020
【図４−６】
2006325343.tif 000021
【図４−７】
2006325343.tif 000022
【図４−８】
2006325343.tif 000023
【図４−９】
2006325343.tif 000024